(57)【要約】【課題】  外部接続装置と通信網との間で情報通信を行うために用いられる通信装置を提供すること。【解決手段】  この通信装置１ａは、通信カード３０を装着するＡＶ信号変換アダプタ１０と、通信網を介して送信されてくる制御信号を外部接続装置に出力する外部制御ボックス２０とから構成され、通信カード３０が着脱可能であって通信カード３０と情報の授受を行うための通信カードインタフェイス１０１と、通信カード３０が受信する多重化データを音声データと映像データとに分離するテレビ電話データ処理部１０４と、当該分離した音声データから制御信号を復号するＤＴＭＦデコーダ２０３と、当該復号した制御信号を外部接続装置に出力するデータ伝送部２０４と、を備える。【選択図】  図２
2005117336.tif 000002
【特許請求の範囲】
【請求項１】
通信網を介しての通信が可能な通信端末を装着する第一の装置と、
前記通信網を介して送信されてくる制御信号を外部接続装置に出力する第二の装置と、を備える通信装置であって、
前記通信端末が着脱可能であって前記通信端末と情報の授受を行うための装着手段と、
前記通信端末が受信する多重化データを音声データと映像データとに分離する分離手段と、
当該分離した音声データから制御信号を復号する復号手段と、
当該復号した制御信号を前記外部接続装置に出力する出力手段と、
を備える通信装置。
【請求項２】
前記外部接続装置から出力される音声データ及び映像データを多重化データに多重化する多重化手段と、
当該多重化した多重化データを所定の送信先端末に送信するように前記通信端末に出力するデータ伝送手段と、を備える、請求項１に記載の通信装置。
【請求項３】
外部接続装置から出力される映像データを所定の送信先端末に送信するための通信装置であって、
複数の送信先端末それぞれを特定する送信先情報を送信の優先順位と関連付けて格納する送信先格納手段と、
前記送信先格納手段に格納されている送信先情報に基づいて、当該送信先情報で特定される送信先端末に発呼し、当該発呼に応じて呼接続が確立した場合に前記映像データを当該呼接続が確立した送信先端末に送信する送信手段と、を備え、
前記送信手段は、
前記送信先格納手段に格納されている最も優先順位の高い送信先情報で特定される送信先端末に発呼し、
当該発呼に応じて呼接続が確立しない場合には次に優先順位の高い送信先情報で特定される送信先端末に発呼し、順次呼接続が確立されるまで次の優先順位の送信先情報で特定される送信先端末に発呼する、通信装置。
【発明の詳細な説明】
【技術分野】
【０００１】
本発明は、外部接続装置と通信網との間で情報通信を行うための通信装置に関する。
【背景技術】
【０００２】
カメラで撮影した画像を伝送する装置としては、カメラと通信インターフェイスとが一体になったものがある（例えば、下記特許文献１参照。）。
【特許文献１】特開２００３−１３４４８６号公報
【発明の開示】
【発明が解決しようとする課題】
【０００３】
従来の技術では、カメラと通信インタフェイスとが一体になっているため、カメラといった既存の外部接続装置と通信網との間で情報通信を行うためには用いることができなかった。
【０００４】
そこで本発明では、外部接続装置と通信網との間で情報通信を行うために用いられる通信装置を提供することを目的とする。
【課題を解決するための手段】
【０００５】
本発明の通信装置は、通信網を介しての通信が可能な通信端末を装着する第一の装置と、通信網を介して送信されてくる制御信号を外部接続装置に出力する第二の装置と、を備える通信装置であって、通信端末が着脱可能であって通信端末と情報の授受を行うための装着手段と、通信端末が受信する多重化データを音声データと映像データとに分離する分離手段と、当該分離した音声データから制御信号を復号する復号手段と、当該復号した制御信号を外部接続装置に出力する出力手段と、を備える。
【０００６】
本発明の通信装置によれば、通信端末が受信した多重化データを分離して音声データを取り出し、その取り出した音声データから制御信号を復号して外部接続装置に出力するので、通信網を介して送信されてくる制御信号を外部接続装置に受け渡すことができる。また、通信端末を装着する第一の装置と制御信号を出力する第二の装置とを備えるので、例えば第一の装置と第二の装置とを着脱可能とすれば、それぞれの装置を適切な場所に配置することができる。
【０００７】
また本発明の通信装置では、外部接続装置から出力される音声データ及び映像データを多重化データに多重化する多重化手段と、当該多重化した多重化データを所定の送信先端末に送信するように通信端末に出力するデータ伝送手段と、を備えることも好ましい。外部接続装置から出力されるデータを多重化して通信端末に出力するので、外部接続装置から出力されるデータを送信先端末に送信できる。
【０００８】
本発明の通信装置は、外部接続装置から出力される映像データを所定の送信先端末に送信するための通信装置であって、複数の送信先端末それぞれを特定する送信先情報を送信の優先順位と関連付けて格納する送信先格納手段と、送信先格納手段に格納されている送信先情報に基づいて、当該送信先情報で特定される送信先端末に発呼し、当該発呼に応じて呼接続が確立した場合に映像データを当該呼接続が確立した送信先端末に送信する送信手段と、を備え、送信手段は、送信先格納手段に格納されている最も優先順位の高い送信先情報で特定される送信先端末に発呼し、当該発呼に応じて呼接続が確立しない場合には次に優先順位の高い送信先情報で特定される送信先端末に発呼し、順次呼接続が確立されるまで次の優先順位の送信先情報で特定される送信先端末に発呼する。送信先情報で特定される送信先端末に発呼し、当該発呼に応じて呼接続が確立した場合に映像データを当該呼接続が確立した送信先端末に送信するので、外部接続装置から出力される映像データを送信先端末に送信できる。予め定められている優先順位に基づいて、呼接続が確立するまで順次各送信先端末に発呼するので、いずれかの送信先端末に映像データを送信できる可能性を向上できる。
【発明の効果】
【０００９】
本発明の通信装置を用いると、外部接続装置と通信網との間で情報通信を行うことができる。
【発明を実施するための最良の形態】
【００１０】
本発明の知見は、例示のみのために示された添付図面を参照して以下の詳細な記述を考慮することによって容易に理解することができる。引き続いて、添付図面を参照しながら本発明を実施するための形態を説明する。可能な場合には、同一の部分には同一の符号を付して、重複する説明を省略する。
【００１１】
まず、本実施形態のＡＶ（Ａｕｄｉｏ  Ｖｉｓｕａｌ）信号変換アダプタと外部制御ボックス２０とを用いて通信を行うモデルについて図１を用いて説明する。図１に示す例では、ＡＶ信号変換アダプタ１０（第一の装置）及び外部制御ボックス２０（第二の装置）は互いに情報の授受が可能なように接続されている。ＡＶ信号変換アダプタ１０には通信カード３０（通信端末）が装着されていて、通信カード３０は移動体通信網５０を介して情報の送受信が可能なように構成されている。通信カード３０、ＡＶ信号変換アダプタ
１０、及び外部制御ボックス２０は、このように組み合わされることで通信装置１ａを構成している。外部制御ボックス２０には外部接続機器４１（外部接続装置）がシリアル接続されていて、外部接続機器４１は外部制御ボックス２０から送信される信号に応じて制御が可能なように構成されている。また、外部接続機器４１には更に外部接続機器４２がシリアル接続されていて、外部接続機器４２は外部接続機器４１を介して外部制御ボックス２０から送信される信号に応じて制御が可能なように構成されている。外部接続機器４１及び外部接続機器４２から出力されるデータはそれぞれ外部接続ボックス２０に直接入力される。携帯電話機６１〜６３（送信先端末）はテレビ電話機能を備える携帯電話機であって、移動体通信網５０を介して通信カード３０と情報通信が可能なように構成されている。
【００１２】
図１に示す機器構成によれば、携帯電話機６１〜６３のいずれかが通信カード３０に発呼し、呼接続を確立した後ボタンを押下するなどして情報（例えば音声データ）を入力すると、その音声データは映像データと多重化され、その多重化データが通信カード３０に送信される。通信カード３０は受信した多重化データをＡＶ信号変換アダプタ１０に出力する。ＡＶ信号変換アダプタ１０はその多重化データを音声データと映像データとに分離し、音声データを外部制御ボックス２０に出力する。外部制御ボックス２０はその音声データからＤＴＭＦ（Ｄｉａｌ  Ｔｏｎｅ  Ｍｕｌｔｉ  Ｆｒｅｑｕｅｎｃｙ）信号（制御信号）をデコードする。外部制御ボックス２０はデコードしたＤＴＭＦ信号を外部接続機器４１及び外部接続機器４２に送信し、外部接続機器４１及び外部接続機器４２は受信したＤＴＭＦ信号に基づいた所定の動作を行う。
【００１３】
また、外部接続機器４１及び外部接続機器４２が撮像装置であれば、外部接続機器４１及び外部接続機器４２が撮影した画像データは外部制御ボックス２０を経由してＡＶ信号変換アダプタ１０に出力される。ＡＶ信号変換アダプタ１０はその内部に格納されている情報に基づいて、例えば携帯電話機６１に発呼し、呼接続が確立されると外部接続機器４０が撮影した画像データを送信する。また、携帯電話機６１に発呼したものの、呼接続が確立しなかった場合（話中であった場合など）にはＡＶ信号変換アダプタ１０はその内部に格納されている情報に基づいて、例えば携帯電話機６２に発呼し、呼接続が確立されると外部接続機器４０が撮影した画像データを送信する。
【００１４】
引き続いて、本実施形態のＡＶ信号変換アダプタ１０及び外部制御ボックス２０について図２を用いて説明する。まずＡＶ信号変換アダプタ１０について説明する。
【００１５】
ＡＶ信号変換アダプタは、通信カードインタフェイス１０１（装着手段）と、データ伝送部１０２（データ伝送手段）と、呼制御部１０３（送信手段）と、テレビ電話データ処理部１０４（分離手段、多重化手段）と、映像入出力インタフェイス１０５と、音声入出力インタフェイス１０６と、ＲＳ２３２Ｃポート１０７と、発呼先格納部１５０（送信先格納手段）と、を備える。引き続いて各構成要素について説明する。
【００１６】
通信カードインタフェイス１０１は、通信カード３０が着脱可能であって、通信カード３０と情報の授受を行うためのインタフェイスである。通信カードインタフェイス１０１は、通信カード３０から出力されるデータをデータ伝送部１０２に出力し、データ伝送部１０２から出力されるデータを通信カード３０に出力する。通信カードインタフェイス１０１は、呼制御部１０３から出力される信号に基づいて所定の通信先端末に対して発呼を行うように通信カード３０に指示信号を出力する。
【００１７】
データ伝送部１０２は、通信カードインタフェイス１０１から出力されるデータを受け取ってテレビ電話データ処理部１０４に出力する部分である。データ伝送部１０２は、テレビ電話データ処理部１０４から所定の通信先端末に送信するデータを受け取って、その送信するデータは通信カードインタフェイス１０１に、所定の通信先端末を特定する情報は呼制御部１０３に、それぞれ出力する。
【００１８】
呼制御部１０３は、通信カードインタフェイス１０１を介して通信カード３０の通信を制御する部分である。より具体的には、呼制御部１０３はデータ伝送部１０２から出力される情報に基づいて、通信カードインタフェイス１０１に対して所定の通信先端末に対して発呼を行うように指示する信号を出力する。例えば、データ伝送部１０２から特定の通信先端末に対して発呼するように情報が出力された場合には、呼制御部１０３はその特定の通信先端末に発呼を行うように通信カードインタフェイス１０１に対して指示する。一方、データ伝送部１０２から発呼する指示のみの情報が出力された場合には、呼制御部１０３は発呼先格納部１５０に格納されている情報に基づいて通信先端末を特定し、その通信先端末に発呼を行うように通信カードインタフェイス１０１に対して指示する。
【００１９】
発呼先格納部１５０に格納されている情報の例を図３に示す。図３に示す例によれば、発呼先格納部１５０には、「発呼先」「電話番号」「優先順位」が関連付けられて格納されている。「発呼先」とは通信先端末としての携帯電話機を特定する情報である。「電話番号」はその携帯電話機の電話番号である。「優先順位」とは、呼制御部１０３が発呼を行う際に、どの携帯電話機から発呼を始めるかの順番を特定する情報である。従って、図３に示す例では、携帯電話機６１、携帯電話機６２、携帯電話機６３の順番で発呼することになる。
【００２０】
テレビ電話データ処理部１０４は、データ伝送部１０２から出力されるデータがテレビ電話通信の多重化データである場合に、その多重化データを音声データと映像データとに分離する部分である。テレビ電話データ処理部１０４は、分離した音声データを音声入出力インタフェイス１０６に、分離した映像データを映像入出力インタフェイス１０５に、それぞれ出力する。テレビ電話データ処理部１０４は、音声入出力インタフェイス１０６が音声データが、映像入出力インタフェイス１０５から映像データが、それぞれ出力された場合には、その音声データ及び映像データを多重化して多重化データを生成する。テレビ電話データ処理部１０４は生成した多重化データを送信すべき情報としてデータ伝送部１０２に出力する。
【００２１】
映像入出力インタフェイス１０５は、テレビ電話データ処理部１０４から出力される映像データを外部出力端子１０８ｂに出力し、外部入力端子１０８ａから入力される映像データをテレビ電話データ処理部１０４に出力する部分である。
【００２２】
音声入出力インタフェイス１０６は、テレビ電話データ処理部１０４から出力される音声データを外部出力端子１０９ｂに出力し、外部入力端子１０９から入力される音声データをテレビ電話データ処理部１０４に出力する部分である。音声入出力インタフェイス１０６は、テレビ電話データ処理部１０４から出力される音声データをＲＳ２３２Ｃポート１０７に出力し、ＲＳ２３２Ｃポートから出力される音声データをテレビ電話データ処理部１０４に出力する。
【００２３】
ＲＳ２３２Ｃポート１０７は、シリアル通信を行うためのポートである。ＲＳ２３２Ｃポート１０７は、音声入出力インタフェイス１０６から出力される音声データを外部制御ボックス２０に出力する。ＲＳ２３２Ｃポート１０７は、外部制御ボックス２０から出力される音声データを音声入出力インタフェイス１０６に出力する。このＲＳ２３２Ｃポート１０７には、Ｄ−ｓｕｂ２５ピンのコネクタが使用されている。ＲＳ２３２Ｃポート１０７は、接続されたのが外部制御ボックス２０なのか、他のパーソナルコンピュータなのかを判断する。より具体的には、外部制御ボックス２０が接続された場合には外部制御ボックス２０から電源が供給されることでその接続を認識し、パーソナルコンピュータが接続された場合にはパーソナルコンピュータから電源が供給されないことでその接続を認識する。
【００２４】
引き続いて、外部制御ボックス２０について説明する。外部制御ボックス２０は、ＲＳ２３２Ｃポート２０１と、フィルタ２０２と、ＤＴＭＦ（Ｄｉａｌ  Ｔｏｎｅ  Ｍｕｌｔｉ  Ｆｒｅｑｕｅｎｃｙ）デコーダ２０３（復号手段）と、データ伝送部２０４（出力手段）と、セレクタ２０５と、ＲＳ２３２Ｃポート２０６と、切替スイッチ２１１ａと、切替スイッチ２１１ｂと、を備える。引き続いて各構成要素について説明する。
【００２５】
ＲＳ２３２Ｃポート２０１は、シリアル通信を行うためのポートである。ＲＳ２３２Ｃポート２０１は、切替スイッチ２１１ｂから出力される音声データをＡＶ信号変換アダプタ１０に出力する。ＲＳ２３２Ｃポート２０１は、ＡＶ信号変換アダプタ１０から出力される音声データを切替スイッチ２１１ａに出力する。
【００２６】
フィルタ２０２は、切替スイッチ２１１ａから出力されるデータの特定の帯域のデータのみを通過させてＤＴＭＦデコーダ２０３に出力する部分である。
【００２７】
ＤＴＭＦデコーダ２０３は、フィルタ２０２から出力されるデータからＤＴＭＦ信号（制御信号）を復号する部分である。ＤＴＭＦデコーダ２０３は復号したＤＴＭＦ信号をデータ伝送部２０４に出力する。
【００２８】
データ伝送部２０４は、ＤＴＭＦデコーダ２０３から出力されるＤＴＭＦ信号に基づいて所定の動作を行う部分である。より具体的には、ＤＴＭＦ信号が外部接続機器４０を制御するためのものである場合には、データ伝送部２０４はそのＤＴＭＦ信号をＲＳ２３２Ｃポート２０６へ出力する。また、ＤＴＭＦ信号がセレクタ２０５の切り替えを制御するものである場合には、データ伝送部２０４はそのＤＴＭＦ信号をセレクタ２０５へ出力する。
【００２９】
セレクタ２０５は、外部入力端子２０７ａ及び外部入力端子２０７ｂと、外部入力端子２０８ａ及び外部入力端子２０８ｂとのいずれかの組を選択し、この選択した組から入力されるデータのみを通過させる部分である。より具体的には、セレクタ２０５は、外部入力端子２０７ａから入力される音声データと、外部入力端子２０８ａから入力される音声データとのいずれかを選択し、選択したほうの音声データを切替スイッチ２１１ｂに出力する。また、セレクタ２０５は、外部入力端子２０７ｂから入力される映像データと、外部入力端子２０８ｂから入力される映像データとのいずれかを選択し、選択した方の映像データを外部出力端子２０９ｂに出力する。セレクタ２０５がいずれのデータを選択するかは、データ伝送部２０４から出力される制御信号に基づいて定められる。
【００３０】
ＲＳ２３２Ｃポート２０６は、シリアル通信を行うためのポートである。ＲＳ２３２Ｃポート２０６は、データ伝送部２０４から出力される音声データを外部接続機器４１に出力する。
【００３１】
切替スイッチ２１１ａは、セレクタ２０５から出力される音声データを、外部出力端子２０９ａに出力するか、ＲＳ２３２Ｃポート２０１に出力するかの切り替えを行うスイッチである。図２に示す状態では、セレクタ２０５から出力される音声データは外部出力端子２０９ａに出力される。
【００３２】
切替スイッチ２１１ｂは、ＲＳ２３２Ｃポート２０１から出力される音声データと、外部入力端子２１０から出力される音声データとのいずれの音声データをフィルタ２０２に出力するかの切り替えを行うスイッチである。図２に示す状態では、ＲＳ２３２Ｃポート２０１から出力される音声データがフィルタ２０２に出力される。
【００３３】
上述したように、ＡＶ信号変換アダプタ１０は、外部入力端子１０８ａと、外部出力端子１０８ｂと、外部入力端子１０９ａと、外部出力端子１０９ｂとを備えている。また、外部制御ボックス２０は、外部入力端子２０７ａと、外部入力端子２０７ｂと、外部入力端子２０８ａと、外部入力端子２０８ｂと、外部出力端子２０９ａと、外部出力端子２０９ｂと、外部入力端子２１０とを備えている。本実施形態では、外部接続機器４１から出力される音声データは外部入力端子２０７ａへ、映像データは外部入力端子２０７ｂへそれぞれ入力される。また、外部接続機器４２から出力される音声データは外部入力端子２０８ａへ、映像データは外部入力端子２０８ｂへそれぞれ入力される。
【００３４】
外部制御ボックス２０の外部出力端子２０９ｂとＡＶ信号変換アダプタ１０の外部入力端子１０８ａとが接続されている。また、外部制御ボックス２０の外部出力端子２０９ａとＡＶ信号変換アダプタ１０の外部入力端子１０９ａとが接続されている。従って、外部接続機器４１又は外部接続機器４２から出力された音声データと映像データとが外部制御ボックス２０からＡＶ信号変換アダプタ１０へ出力される。
【００３５】
尚、本実施形態では、ＡＶ信号変換アダプタ１０の外部出力端子１０８ｂ及び外部出力端子１０９ｂには何も接続されていない。また、外部制御ボックス２０の外部入力端子２１０にも何も接続されていない。
【００３６】
引き続いて、本実施形態のＡＶ変換アダプタ１０及び外部制御ボックス２０の動作について図４〜図６を用いて説明する。図４は、ＡＶ変換アダプタ１０及び外部制御ボックス２０の主たる動作を説明する図である。図５及び図６は、図４の動作において条件分岐した場合の動作を説明する図である。
【００３７】
まず、図４を参照しながら説明する。外部接続機器４１及び外部接続機器４２から送信されるデータや、所定の報告時刻の到来といったトリガに応じて、ＡＶ信号変換アダプタ１０の呼制御部１０３が、所定の登録先（例えば、携帯電話機６１）へ発呼する指示を通信カードインタフェイス１０１に出力する。通信カードインタフェイス１０１に装着されている通信カード３０はこの指示に応じて携帯電話機６１へ発呼する（ステップＳ０１）。
【００３８】
呼制御部１０３は、通信カード３０が移動体通信網５０を介して携帯電話機６１と呼接続を確立するかどうかを監視する（ステップＳ０２）。ここで呼接続が確立されない場合については後述する。
【００３９】
ステップＳ０２で呼接続が確立すると、外部接続機器４１及び外部接続機器４２から送信されるデータがＡＶ信号変換アダプタ１０から携帯電話機６１へ送信される。この送信中に呼制御部１０３は呼が切断されるかどうかを監視する（ステップＳ０３）。呼が切断されると移動体通信網５０から切断レポートが送信され、ＡＶ信号変換アダプタ１０が受信する（ステップＳ０４）。
【００４０】
呼制御部１０３は、受信した切断レポートの内容に基づいて、呼の切断が正常であったかどうかを判断する（ステップＳ０５）。呼の切断が異常であった場合については後述する。この切断が正常であった場合には通信ログを作成して処理を終了する。
【００４１】
引き続いて図５を参照しながら、ステップＳ０２において呼接続が確立されない場合について説明する。呼接続が確立されない場合には、移動体通信網５０から確立不可レポートが送信され、ＡＶ信号変換アダプタ１０が受信する（ステップＳ１１）。ＡＶ信号変換アダプタ１０の呼制御部１０３は、受信した切断レポートの内容に基づいて、携帯電話機６１に対して発呼ができたかどうかを判断する（ステップＳ１２）。ここで「発呼ができた」とは、携帯電話機６１が通信中で呼接続できなかった場合や、携帯電話機６１を呼び出したものの応答がなかった場合などを指す。
【００４２】
ステップＳ１２において「発呼ができた」と判断した場合には、呼制御部１０３は携帯電話機６１に対する発呼回数が所定の閾値を超えたかどうかを判断する（ステップＳ１３）。発呼回数が所定の閾値を超えていなければ、図４のステップＳ０１へ戻って処理を継続する。例えば、発呼回数の上限が５回と決められている場合に、発呼回数が４回までであれば、図４のステップＳ０１へ戻って処理を継続する。
【００４３】
ステップＳ１２において「発呼ができなかった」と判断した場合には、呼制御部１０３はその理由が所定の理由かどうかを判断する（ステップＳ１４）。ここで「所定の理由」とは、発呼した電話番号が存在しなかった場合や、所定時間内に応答がなかった場合や、相手先の携帯電話機が着信拒否をした場合などである。発呼ができなかったのが所定の理由でない場合には通信ログを作成して処理を終了する。
【００４４】
ステップＳ１３において発呼回数が所定の閾値を超えた場合、ステップＳ１４において発呼ができなかった理由が所定の理由である場合、のそれぞれの場合には、呼制御部１０３は、発呼先格納部１５０に次の発呼先が登録されているかどうかを判断する（ステップＳ１５）。発呼先格納部１５０に次の発呼先が登録されていない場合には作成して処理を終了する。発呼先格納部１５０に次の発呼先が登録されていれば、呼制御部１０３はその発呼先を特定して図４のステップＳ０１へ戻って処理を継続する。尚、この場合には、呼制御部１０３は次の発呼先に送信するメッセージを作成する。このメッセージは例えば「Ａさんの携帯電話機６１に発呼致しましたが、連絡をとることができませんでした。そのためあなたに通知いたします。」というように、前の登録先へ連絡がとれなかったことを通知するメッセージである。
【００４５】
引き続いて図６を参照しながら、ステップＳ０５において呼の切断が異常だった場合について説明する。呼の切断が異常だった場合には、ＡＶ信号変換アダプタ１０の呼制御部１０３は、受信した切断レポートの内容に基づいて、その切断が相手側の異常によるものかどうかを判断する（ステップＳ２１）。相手側の異常でなければ、呼制御部１０３は通信カード３０の異常かどうかを判断する（ステップＳ２２）。通信カードの異常でなければＡＶ信号変換アダプタ１０の他の部分の異常であるとみなし、ＡＶ信号変換アダプタ１０は自動的に電源の再投入を行う（ステップＳ２３）。
【００４６】
ステップＳ２２において呼切断の理由が通信カード３０の異常による場合、ステップＳ２３において電源の再投入を行った後の場合、のそれぞれの場合には、呼制御部１０３は通信カード３０の初期化を行う（ステップＳ２４）。その後、呼制御部１０３は携帯電話機６１に対する発呼回数が所定の閾値を超えたかどうかを判断する（ステップＳ２５）。発呼回数が所定の閾値を超えていなければ、図４のステップＳ０１へ戻って処理を継続する。例えば、発呼回数の上限が５回と決められている場合に、発呼回数が４回までであれば、図４のステップＳ０１へ戻って処理を継続する。
【００４７】
ステップＳ２１において呼切断の理由が相手側の異常である場合、ステップＳ２５において発呼回数が所定の閾値を超えている場合、のそれぞれの場合には呼制御部１０３は、発呼先格納部１５０に次の発呼先が登録されているかどうかを判断する（ステップＳ２６）。発呼先格納部１５０に次の発呼先が登録されていない場合には作成して処理を終了する。発呼先格納部１５０に次の発呼先が登録されていれば、呼制御部１０３はその発呼先を特定して図４のステップＳ０１へ戻って処理を継続する。尚、この場合には、呼制御部１０３は次の発呼先に送信するメッセージを作成する。このメッセージは例えば「Ａさんの携帯電話機６１へ連絡しましたが、連絡の途中で切断されてしまったため連絡を完了することができませんでした。そのためあなたに通知いたします。」というように、前の登録先へ連絡がとれなかったことを通知するメッセージである。
【図面の簡単な説明】
【００４８】
【図１】本実施形態のＡＶ信号変換アダプタ及び外部制御ボックスが使用される状態を説明するための図である。
【図２】本実施形態のＡＶ信号変換アダプタ及び外部制御ボックスの構成を示す図である。
【図３】図２の発呼先格納部に格納される情報の例を示す図である。
【図４】本実施形態のＡＶ信号変換アダプタ及び外部制御ボックスの動作を説明するための図である。
【図５】本実施形態のＡＶ信号変換アダプタ及び外部制御ボックスの動作を説明するための図である。
【図６】本実施形態のＡＶ信号変換アダプタ及び外部制御ボックスの動作を説明するための図である。
【符号の説明】
【００４９】
１ａ…通信装置、１０…ＡＶ信号変換アダプタ、２０…外部制御ボックス、３０…通信カード、４０…外部接続機器、５０…移動体通信網、６１〜６３…携帯電話機、１０１…通信カードインタフェイス、１０２…データ伝送部、１０３…呼制御部、１０４…テレビ電話データ処理部、１０５…映像入出力インタフェイス、１０６…音声入出力インタフェイス、１０７…ＲＳ２３２Ｃポート、１０８ａ、１０９ａ…外部入力端子、１０８ｂ、１０９ｂ…外部出力端子、２０１…ＲＳ２３２Ｃポート、２０２…フィルタ、２０３…ＤＴＭＦデコーダ、２０４…データ伝送部、２０５…セレクタ、２０６…ＲＳ２３２Ｃポート、２０７ａ、２０７ｂ、２０８ａ、２０８ｂ…外部入力端子、２０９ａ、２０９ｂ…外部出力端子、２１０…外部入力端子。
【図１】
2005117336.tif 000003
【図２】
2005117336.tif 000004
【図３】
2005117336.tif 000005
【図４】
2005117336.tif 000006
【図５】
2005117336.tif 000007
【図６】
2005117336.tif 000008